【手続補正書】
【提出日】平成20年5月15日(2008.5.15)
【手続補正１】
【補正対象書類名】特許請求の範囲
【補正対象項目名】全文
【補正方法】変更
【補正の内容】
【特許請求の範囲】
【請求項１】
被写体像を結像するスクリーンマットと、
上記スクリーンマット上にスーパーインポーズ表示を行うための投光素子を含む情報表示手段と、
上記スクリーンマット上の被写体像及び上記情報表示手段による表示を観察するための接眼光学系と、
上記スクリーンマット上の被写体像を含むファインダ画像を繰り返し撮像する撮像手段と、
上記撮像手段で撮像された画像に基づいてライブビュー表示動作を行う画像表示手段と、
を具備し、
上記ライブビュー表示動作を行う場合には、上記スクリーンマット上でのスーパーインポーズ表示を行わずに、上記ライブビュー画像上に上記スーパーインポーズ表示情報を合成するようにしたことを特徴とするファインダ装置。
【請求項２】
上記スーパーインポーズ表示は、上記スクリーンマット上に設けられた測距枠を照明して合焦ポイントを表示するものであることを特徴とする請求項１に記載のファインダ装置。
【請求項３】
請求項１に記載のファインダ装置を有することを特徴とするカメラ。
【請求項４】
被写体像を結像するスクリーンマットと、
上記スクリーンマット上、若しくはその近傍に配置されて情報表示を行う情報表示手段と、
上記スクリーンマット上の被写体像及び上記情報表示手段による表示を観察するためのファインダ光学系と、
上記スクリーンマット上の被写体像を含むファインダ画像を撮像する撮像手段と、
上記撮像手段で撮像した画像を表示する画像表示手段と、
上記撮像手段により撮像動作を行う際に、上記情報表示手段の表示を行わないように制御する制御手段と、
を具備することを特徴とするカメラ。
【請求項５】
上記情報表示手段は、上記スクリーンマット上に投光するスーパーインポーズ用投光素子を含み、
上記制御手段は、上記撮像動作の際には上記バックライト素子を消灯する制御を行うことを特徴とする請求項４に記載のカメラ。
【請求項６】
上記情報表示手段は、上記スクリーンマットに隣接して配置されたＬＣＤ表示素子と、該ＬＣＤ表示素子を照明するバックライト素子とを含み、
上記制御手段は、上記撮像動作の際には上記バックライト素子を消灯する制御を行うことを特徴とする請求項４に記載のカメラ。
【請求項７】
上記情報表示手段は、合焦ポイント若しくは撮影情報を表示することを特徴とする請求項４に記載のカメラ。
【請求項８】
上記画像表示手段は、上記情報表示手段で表示されるべき情報を、上記ファインダ画像に合成して表示することを特徴とする請求項４に記載のカメラ。
【請求項９】
上記画像表示手段は、上記ファインダ光学系を介して観察可能なファインダ像を模した形態で表示することを特徴とする請求項８に記載のカメラ。
【手続補正２】
【補正対象書類名】明細書
【補正対象項目名】０００９
【補正方法】変更
【補正の内容】
【０００９】
すなわち請求項１に記載の発明は、被写体像を結像するスクリーンマットと、上記スクリーンマット上にスーパーインポーズ表示を行うための投光素子を含む情報表示手段と、上記スクリーンマット上の被写体像及び上記情報表示手段による表示を観察するための接眼光学系と、上記スクリーンマット上の被写体像を含むファインダ画像を繰り返し撮像する撮像手段と、上記撮像手段で撮像された画像に基づいてライブビュー表示動作を行う画像表示手段と、を具備し、上記ライブビュー表示動作を行う場合には、上記スクリーンマット上でのスーパーインポーズ表示を行わずに、上記ライブビュー画像上に上記スーパーインポーズ表示情報を合成するようにしたことを特徴とする。
【手続補正３】
【補正対象書類名】明細書
【補正対象項目名】００１０
【補正方法】変更
【補正の内容】
【００１０】
請求項２に記載の発明は、請求項１に記載の発明に於いて、上記スーパーインポーズ表示は、上記スクリーンマット上に設けられた測距枠を照明して合焦ポイントを表示するものであることを特徴とする。
【手続補正４】
【補正対象書類名】明細書
【補正対象項目名】００１１
【補正方法】変更
【補正の内容】
【００１１】
請求項３に記載の発明は、請求項１に記載のファインダ装置を有することを特徴とする。
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
請求項４に記載の発明は、被写体像を結像するスクリーンマットと、上記スクリーンマット上、若しくはその近傍に配置されて情報表示を行う情報表示手段と、上記スクリーンマット上の被写体像及び上記情報表示手段による表示を観察するためのファインダ光学系と、上記スクリーンマット上の被写体像を含むファインダ画像を撮像する撮像手段と、上記撮像手段で撮像した画像を表示する画像表示手段と、上記撮像手段により撮像動作を行う際に、上記情報表示手段の表示を行わないように制御する制御手段と、を具備することを特徴とする。
【手続補正１０】
【補正対象書類名】明細書
【補正対象項目名】００１７
【補正方法】変更
【補正の内容】
【００１７】
請求項５に記載の発明は、請求項４に記載の発明に於いて、上記情報表示手段は、上記スクリーンマット上に投光するスーパーインポーズ用投光素子を含み、上記制御手段は、上記撮像動作の際には上記バックライト素子を消灯する制御を行うことを特徴とする。
【手続補正１１】
【補正対象書類名】明細書
【補正対象項目名】００１８
【補正方法】変更
【補正の内容】
【００１８】
請求項６に記載の発明は、請求項４に記載の発明に於いて、上記情報表示手段は、上記スクリーンマットに隣接して配置されたＬＣＤ表示素子と、該ＬＣＤ表示素子を照明するバックライト素子とを含み、上記制御手段は、上記撮像動作の際には上記バックライト素子を消灯する制御を行うことを特徴とする。
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
請求項７に記載の発明は、請求項４に記載の発明に於いて、上記情報表示手段は、合焦ポイント若しくは撮影情報を表示することを特徴とする。
【手続補正１５】
【補正対象書類名】明細書
【補正対象項目名】００２２
【補正方法】変更
【補正の内容】
【００２２】
請求項８に記載の発明は、請求項４に記載の発明に於いて、上記画像表示手段は、上記情報表示手段で表示されるべき情報を、上記ファインダ画像に合成して表示することを特徴とする。
【手続補正１６】
【補正対象書類名】明細書
【補正対象項目名】００２３
【補正方法】変更
【補正の内容】
【００２３】
請求項９に記載の発明は、請求項８に記載の発明に於いて、上記画像表示手段は、上記ファインダ光学系を介して観察可能なファインダ像を模した形態で表示することを特徴とする。